(57)【特許請求の範囲】
【請求項１】
主体を含み、前記主体の中には動力空間が設置され、前記動力空間の底側には出風空間が設置され、前記出風空間の左側壁には入気口が設置され、前記出風空間と前記動力空間との間にはガムを軟化させることができるファン装置が設置され、
前記ファン装置は前記動力空間の上下側壁と前記出風空間の頂壁とに回転可能に装着された貫通軸を含み、前記貫通軸の上側には第一プーリが固定的に設置され、前記貫通軸の中部には従動歯車が固定的に設置され、前記貫通軸の底側にはファンが固定的に設置され、前記出風空間の中には加熱できる電熱線が設置され、前記出風空間の底側には防塵カバーが固定的に設置され、前記入気口の中には通気カバーが固定的に設置され、
前記動力空間の下側には作業空間が設置され、前記作業空間と前記動力空間との間には本願装置に動力を提供できる動力装置が設置され、前記作業空間の左側壁にはスライド棒スライド空間が設置され、前記作業空間の底壁には下方に開口した底部空間が設置され、前記作業空間と前記動力空間との間には連動装置が設置され、前記底部空間の中には前記連動装置によって制御される除去装置が設置され、前記除去装置はガムを除去できることを特徴とする近代都市用の街道表面のガンコな汚れに対する自動掃除システム。
【請求項２】
前記動力装置は前記動力空間の頂壁に固定的に装着された動力モータを含み、前記動力モータの中にはクランク軸が伝動可能に連結され、前記クランク軸は前記動力空間の底壁と前記作業空間の上下側壁と回転可能に連結され、前記クランク軸の上側には第二プーリが固定的に設置され、前記第二プーリと前記第一プーリとの間には連結ベルトが連結されていることを特徴とする請求項１に記載の近代都市用の街道表面のガンコな汚れに対する自動掃除システム。
【請求項３】
前記連動装置は前記動力空間の頂壁と前記主体の頂面とにスライド可能に装着された軸スリーブを含み、前記軸スリーブの頂側にはボタンが回転可能に連結され、前記動力空間において前記軸スリーブには駆動歯車が固定的に設置され、前記駆動歯車は前記従動歯車と噛み合うことができ、前記軸スリーブの中には回転親ねじがスライド可能に連結され、前記回転親ねじと前記軸スリーブとの間には連結ばねが連結され、前記回転親ねじは前記動力空間の底壁と回転可能に連結され、前記回転親ねじは下方へ前記動力空間の底壁を貫通して前記作業空間の中に延在し、且つ前記作業空間の上下側壁と回転可能に連結され、前記回転親ねじの底側には前記作業空間とスライド可能に連結されたネジ山板がネジ山で連結され、前記ネジ山板の中には下方に開口したＴ形スライド空間が設置され、前記Ｔ形スライド空間の中にはＴ形スライドブロックがスライド可能に連結され、前記Ｔ形スライドブロックの底側には延伸棒が固定的に設置され、前記スライド棒スライド空間の中にはスライド棒がスライド可能に連結され、前記スライド棒の右側面には前記延伸棒と当接した復位スライド板が固定的に設置され、前記復位スライド板と前記作業空間の左側壁との間には復位ばねが連結され、前記クランク軸の底側には揺動棒が回転可能に連結され、前記揺動棒の左側には固定ブロックがヒンジで連結され、前記固定ブロックと前記延伸棒とは固定的に連結されていることを特徴とする請求項２に記載の近代都市用の街道表面のガンコな汚れに対する自動掃除システム。
【請求項４】
前記除去装置は前記延伸棒の底側にヒンジで連結されたヒンジ連結棒を含み、前記ヒンジ連結棒の底側にはスコップがスライド可能に連結され、前記スコップの中にはばね空間が設置され、前記ばね空間の左側壁には位置制限空間が設置され、前記ヒンジ連結棒の左側面には前記位置制限空間とスライド可能に連結された位置制限スライドブロックが固定的に設置され、前記ばね空間の底壁は下方に開口され、前記ばね空間の底壁には台形ブロックがスライド可能に連結され、前記台形ブロックと前記ばね空間との間には強力ばねが連結され、前記台形ブロックと前記ヒンジ連結棒とは当接しており、前記台形ブロックの中には移動スライド空間が設置され、前記移動スライド空間の中には移動スライドブロックがスライド可能に連結され、前記移動スライドブロックと前記移動スライド空間との間には圧迫ばねが連結され、前記移動スライドブロックの中にはローラ軸が回転可能に連結され、前記ローラ軸の後側にはローラが固定的に設置されていることを特徴とする請求項３に記載の近代都市用の街道表面のガンコな汚れに対する自動掃除システム。
【請求項５】
前記強力ばねは前記圧迫ばねより弾力が強いことを特徴とする請求項４に記載の近代都市用の街道表面のガンコな汚れに対する自動掃除システム。
【請求項６】
前記主体の左右側面には延伸ブロックが対称に、且つ固定的に設置され、前記延伸ブロックの中には輪組が回転可能に連結されていることを特徴とする請求項１に記載の近代都市用の街道表面のガンコな汚れに対する自動掃除システム。
【請求項７】
前記主体の頂面には伸縮棒が左右対称に、且つ固定的に設置され、前記伸縮棒の中には昇降棒がスライド可能に連結され、前記昇降棒の頂面にはハンドルが固定的に設置されていることを特徴とする請求項１に記載の近代都市用の街道表面のガンコな汚れに対する自動掃除システム。
【発明の詳細な説明】
【技術分野】
【０００１】
本願発明は都市環境保護分野を取り上げ、具体的には近代都市用の街道表面のガンコな汚れに対する自動掃除システムである。
【背景技術】
【０００２】
チューインガムの登場とともに、より多くの人々がガムをかむようになり、しかし、ガムをかみ終えた後に、教養のない人はよくガムをそのまま道端に吐き出し、長くなると、ガムが段々増えていき、道路の美観に響くし、靴についたら不便をもたらす。また、ガムというガンコな汚れを取りにくく、清掃労働者は地面に伏せて取らなければならなく、非常に時間と労力がかかる。
【先行技術文献】
【特許文献】
【０００３】
【特許文献１】中国特許出願公開第１０８８９３９２９号明細書
【発明の概要】
【発明が解決しようとする課題】
【０００４】
近代都市用の街道表面のガンコな汚れに対する自動掃除システムを提供し、上記の問題を解決することを目的とする。
【課題を解決するための手段】
【０００５】
上記の問題を解決するため、本願発明は以下の技術的解決策を提供する：近代都市用の街道表面のガンコな汚れに対する自動掃除システムは、主体を含み、前記主体の中には動力空間が設置され、前記動力空間の底側には出風空間が設置され、前記出風空間の左側壁には入気口が設置され、前記出風空間と前記動力空間との間にはガムを軟化させることができるファン装置が設置され、
前記ファン装置は前記動力空間の上下側壁と前記出風空間の頂壁とに回転可能に装着された貫通軸を含み、前記貫通軸の上側には第一プーリが固定的に設置され、前記貫通軸の中部には従動歯車が固定的に設置され、前記貫通軸の底側にはファンが固定的に設置され、前記出風空間の中には加熱できる電熱線が設置され、前記出風空間の底側には防塵カバーが固定的に設置され、前記入気口の中には通気カバーが固定的に設置され、
前記動力空間の下側には作業空間が設置され、前記作業空間と前記動力空間との間には本願装置に動力を提供できる動力装置が設置され、前記作業空間の左側壁にはスライド棒スライド空間が設置され、前記作業空間の底壁には下方に開口した底部空間が設置され、前記作業空間と前記動力空間との間には連動装置が設置され、前記底部空間の中には前記連動装置によって制御される除去装置が設置され、前記除去装置はガムを除去できる。
【０００６】
前述した技術的解決策の上で、前記動力装置は前記動力空間の頂壁に固定的に装着された動力モータを含み、前記動力モータの中にはクランク軸が伝動可能に連結され、前記クランク軸は前記動力空間の底壁と前記作業空間の上下側壁と回転可能に連結され、前記クランク軸の上側には第二プーリが固定的に設置され、前記第二プーリと前記第一プーリとの間には連結ベルトが連結されている。
【０００７】
前述した技術的解決策の上で、前記連動装置は前記動力空間の頂壁と前記主体の頂面とにスライド可能に装着された軸スリーブを含み、前記軸スリーブの頂側にはボタンが回転可能に連結され、前記動力空間において前記軸スリーブには駆動歯車が固定的に設置され、前記駆動歯車は前記従動歯車と噛み合うことができ、前記軸スリーブの中には回転親ねじがスライド可能に連結され、前記回転親ねじと前記軸スリーブとの間には連結ばねが連結され、前記回転親ねじは前記動力空間の底壁と回転可能に連結され、前記回転親ねじは下方へ前記動力空間の底壁を貫通して前記作業空間の中に延在し、且つ前記作業空間の上下側壁と回転可能に連結され、前記回転親ねじの底側には前記作業空間とスライド可能に連結されたネジ山板がネジ山で連結され、前記ネジ山板の中には下方に開口したＴ形スライド空間が設置され、前記Ｔ形スライド空間の中にはＴ形スライドブロックがスライド可能に連結され、前記Ｔ形スライドブロックの底側には延伸棒が固定的に設置され、前記スライド棒スライド空間の中にはスライド棒がスライド可能に連結され、前記スライド棒の右側面には前記延伸棒と当接した復位スライド板が固定的に設置され、前記復位スライド板と前記作業空間の左側壁との間には復位ばねが連結され、前記クランク軸の底側には揺動棒が回転可能に連結され、前記揺動棒の左側には固定ブロックがヒンジで連結され、前記固定ブロックと前記延伸棒とは固定的に連結されている。
【０００８】
前述した技術的解決策の上で、前記除去装置は前記延伸棒の底側にヒンジで連結されたヒンジ連結棒を含み、前記ヒンジ連結棒の底側にはスコップがスライド可能に連結され、前記スコップの中にはばね空間が設置され、前記ばね空間の左側壁には位置制限空間が設置され、前記ヒンジ連結棒の左側面には前記位置制限空間とスライド可能に連結された位置制限スライドブロックが固定的に設置され、前記ばね空間の底壁は下方に開口され、前記ばね空間の底壁には台形ブロックがスライド可能に連結され、前記台形ブロックと前記ばね空間との間には強力ばねが連結され、前記台形ブロックと前記ヒンジ連結棒とは当接しており、前記台形ブロックの中には移動スライド空間が設置され、前記移動スライド空間の中には移動スライドブロックがスライド可能に連結され、前記移動スライドブロックと前記移動スライド空間との間には圧迫ばねが連結され、前記移動スライドブロックの中にはローラ軸が回転可能に連結され、前記ローラ軸の後側にはローラが固定的に設置されている。
【０００９】
前述した技術的解決策の上で、前記強力ばねは前記圧迫ばねより弾力が強い。
【００１０】
前述した技術的解決策の上で、前記主体の左右側面には延伸ブロックが対称に、且つ固定的に設置され、前記延伸ブロックの中には輪組が回転可能に連結されている。
【００１１】
前述した技術的解決策の上で、前記主体の頂面には伸縮棒が左右対称に、且つ固定的に設置され、前記伸縮棒の中には昇降棒がスライド可能に連結され、前記昇降棒の頂面にはハンドルが固定的に設置されている。
【発明の効果】
【００１２】
本願発明は以下のプラス効果を有する：本装置は路上のガムを自動的除去でき、同時に加熱機能を有するため、除去に便利を与え、従来の除去方法と比べ、本装置は効率よく、労働者の両手を解放し、労力と資源の浪費を減少し、また、本装置は人の身長によって自動的に長さを調節でき、底部の輪と合わせて、より便利に移動でき、装置全体の利便性を向上させる。
【図面の簡単な説明】
【００１３】
下記に図１〜３を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明である近代都市用の街道表面のガンコな汚れに対する自動掃除システムの全体全断面の正面構成略図
【図２】図２は図１におけるＡの局部拡大図
【図３】図３は図１におけるＢの局部拡大図
【発明を実施するための形態】
【００１５】
本明細書が開示したすべての技術的特徴、又は開示したすべての技術プランと過程中のステップは、互いに排斥する特徴或いはステップ以外に、いかなる方式で組み合わせることができる。
【００１６】
本明細書が開示したすべての技術的特徴は、特に明記しない限り、そのほかの同等或いは類似する目的を持つ代替特徴に取り替えられる。即ち特に明記しない限り、全ての特徴は一連の同等或いは類似する技術的特徴における一つの例に過ぎない。
【００１７】
図１〜３を参照し、本願発明は以下の実施例を提供する：本実施例である近代都市用の街道表面のガンコな汚れに対する自動掃除システムは、主体２１を含み、前記主体２１の中には動力空間３７が設置され、前記動力空間３７の底側には出風空間６７が設置され、前記出風空間６７の左側壁には入気口６８が設置され、前記出風空間６７と前記動力空間３７との間にはガムを軟化させることができるファン装置１０１が設置され、前記ファン装置１０１は前記動力空間３７の上下側壁と前記出風空間６７の頂壁とに回転可能に装着された貫通軸５０を含み、前記貫通軸５０の上側には第一プーリ５２が固定的に設置され、前記貫通軸５０の中部には従動歯車５１が固定的に設置され、前記貫通軸５０の底側にはファン４３が固定的に設置され、前記出風空間６７の中には加熱できる電熱線４５が設置され、前記出風空間６７の底側には防塵カバー４４が固定的に設置され、前記入気口６８の中には通気カバー４９が固定的に設置され、前記動力空間３７の下側には作業空間７１が設置され、前記作業空間７１と前記動力空間３７との間には本願装置に動力を提供できる動力装置１０２が設置され、前記作業空間７１の左側壁にはスライド棒スライド空間４２が設置され、前記作業空間７１の底壁には下方に開口した底部空間４０が設置され、前記作業空間７１と前記動力空間３７との間には連動装置１０３が設置され、前記底部空間４０の中には前記連動装置１０３によって制御される除去装置１０４が設置され、前記除去装置１０４はガムを除去できる。
【００１８】
また、一実施例においては、前記動力装置１０２は前記動力空間３７の頂壁に固定的に装着された動力モータ２８を含み、前記動力モータ２８の中にはクランク軸３６が伝動可能に連結され、前記クランク軸３６は前記動力空間３７の底壁と前記作業空間７１の上下側壁と回転可能に連結され、前記クランク軸３６の上側には第二プーリ３５が固定的に設置され、前記第二プーリ３５と前記第一プーリ５２との間には連結ベルト２７が連結され、
以上により、前記動力モータ２８を作動させることで、前記クランク軸３６と、前記第二プーリ３５と、前記第一プーリ５２とは駆動されて回転し、そして動力を前記ファン装置１０１と前記除去装置１０４とに提供する。  
【００１９】
また、一実施例においては、前記連動装置１０３は前記動力空間３７の頂壁と前記主体２１の頂面とにスライド可能に装着された軸スリーブ２６を含み、前記軸スリーブ２６の頂側にはボタン２５が回転可能に連結され、前記動力空間３７において前記軸スリーブ２６には駆動歯車６５が固定的に設置され、前記駆動歯車６５は前記従動歯車５１と噛み合うことができ、前記軸スリーブ２６の中には回転親ねじ６６がスライド可能に連結され、前記回転親ねじ６６と前記軸スリーブ２６との間には連結ばね６４が連結され、前記回転親ねじ６６は前記動力空間３７の底壁と回転可能に連結され、前記回転親ねじ６６は下方へ前記動力空間３７の底壁を貫通して前記作業空間７１の中に延在し、且つ前記作業空間７１の上下側壁と回転可能に連結され、前記回転親ねじ６６の底側には前記作業空間７１とスライド可能に連結されたネジ山板２９がネジ山で連結され、前記ネジ山板２９の中には下方に開口したＴ形スライド空間３０が設置され、前記Ｔ形スライド空間３０の中にはＴ形スライドブロック３１がスライド可能に連結され、前記Ｔ形スライドブロック３１の底側には延伸棒３４が固定的に設置され、前記スライド棒スライド空間４２の中にはスライド棒４１がスライド可能に連結され、前記スライド棒４１の右側面には前記延伸棒３４と当接した復位スライド板３３が固定的に設置され、前記復位スライド板３３と前記作業空間７１の左側壁との間には復位ばね３２が連結され、前記クランク軸３６の底側には揺動棒３９が回転可能に連結され、前記揺動棒３９の左側には固定ブロック３８がヒンジで連結され、前記固定ブロック３８と前記延伸棒３４とは固定的に連結され、
以上により、前記ボタン２５を押すことで、前記駆動歯車６５は前記従動歯車５１と噛み合い、この時、前記従動歯車５１は前記駆動歯車６５と、前記軸スリーブ２６と、前記回転親ねじ６６とを回転連動させ、それにより、前記ネジ山板２９と、前記Ｔ形スライドブロック３１と、前記延伸棒３４とを連動させて下方へ運動させ、前記クランク軸３６は前記揺動棒３９と、前記固定ブロック３８と、前記延伸棒３４とを連動させて左右に移動させる。
【００２０】
また、一実施例においては、前記除去装置１０４は前記延伸棒３４の底側にヒンジで連結されたヒンジ連結棒５５を含み、前記ヒンジ連結棒５５の底側にはスコップ７２がスライド可能に連結され、前記スコップ７２の中にはばね空間５６が設置され、前記ばね空間５６の左側壁には位置制限空間５３が設置され、前記ヒンジ連結棒５５の左側面には前記位置制限空間５３とスライド可能に連結された位置制限スライドブロック５４が固定的に設置され、前記ばね空間５６の底壁は下方に開口され、前記ばね空間５６の底壁には台形ブロック６３がスライド可能に連結され、前記台形ブロック６３と前記ばね空間５６との間には強力ばね５９が連結され、前記台形ブロック６３と前記ヒンジ連結棒５５とは当接しており、前記台形ブロック６３の中には移動スライド空間６２が設置され、前記移動スライド空間６２の中には移動スライドブロック６０がスライド可能に連結され、前記移動スライドブロック６０と前記移動スライド空間６２との間には圧迫ばね６１が連結され、前記移動スライドブロック６０の中にはローラ軸５８が回転可能に連結され、前記ローラ軸５８の後側にはローラ５７が固定的に設置され、
以上により、前記ヒンジ連結棒５５が下方へ運動する時に、前記スコップ７２は駆動されて下方へ運動し、前記スコップ７２が地面と当接した時に、前記ヒンジ連結棒５５は前記台形ブロック６３を連動させて右方へ移動させ、そして前記台形ブロック６３は前記ローラ軸５８と前記移動スライドブロック６０とを連動させて下方へ運動させ、さらに前記ローラ５７の底側を前記ばね空間５６から離脱させ、それにより、前記スコップ７２の右側は支持を受けて高くなり、前記スコップ７２と地面との摩擦を軽減できる。
【００２１】
また、一実施例においては、前記強力ばね５９は前記圧迫ばね６１より弾力が強く、
それにより、前記ヒンジ連結棒５５が復位する時に、前記強力ばね５９は前記台形ブロック６３を左方へ押して回収し、同時に前記ローラ５７を回収できる。
【００２２】
また、一実施例においては、前記主体２１の左右側面には延伸ブロック４８が対称に、且つ固定的に設置され、前記延伸ブロック４８の中には輪組４６が回転可能に連結され、
前記輪組４６は前記延伸ブロック４８の移動に便利を与えられる。
【００２３】
また、一実施例においては、前記主体２１の頂面には伸縮棒２２が左右対称に、且つ固定的に設置され、前記伸縮棒２２の中には昇降棒２３がスライド可能に連結され、前記昇降棒２３の頂面にはハンドル２４が固定的に設置され、
前記ハンドル２４を通じて前記主体２１を押し動かして移動させることができ、それにより、本願装置の移動を便利に与えられ、同時に人の身長を合わせて前記昇降棒２３の高度を調節できる。
【００２４】
地面についたガムを掃除する時に、まず出風空間６７をガムに向け、そして電熱線４５を作動させ、さらに動力モータ２８を作動させ、それにより、クランク軸３６と、第二プーリ３５と、第一プーリ５２とは駆動されて回転し、そして貫通軸５０と、従動歯車５１と、ファン４３とは駆動されて回転し、それにより、空気は入気口６８から吸い込まれ、そしてファン４３によって送られ、さらに電熱線４５に加熱され後にガムを軟化させ、軟化終えた後に、ボタン２５を押し、駆動歯車６５と従動歯車５１とを噛み合わせ、この時に、従動歯車５１は駆動歯車６５と、軸スリーブ２６と、回転親ねじ６６とを回転連動させ、そしてネジ山板２９と、Ｔ形スライドブロック３１と、延伸棒３４とは駆動されて下方へ運動し、ヒンジ連結棒５５が下方へ運動する時に、スコップ７２は駆動されて下方へ運動し、スコップ７２が地面と当接した時に、ヒンジ連結棒５５は台形ブロック６３を連動させて右方へ移動させ、そして台形ブロック６３はローラ軸５８と移動スライドブロック６０とを連動させて下方へ移動させ、さらにローラ５７の底側をばね空間５６から離脱させ、それにより、スコップ７２の右側は支持を受けて高くなり、次にボタン２５を放し、クランク軸３６は揺動棒３９と、固定ブロック３８と、延伸ブロック３４とを連動させて左右に移動させ、それにより、スコップ７２は駆動されてガムを完全に除去するまで往復に運動する。
【００２５】
本願発明は以下のプラス効果を有する：本装置は路上のガムを自動的除去でき、同時に加熱機能を有するため、除去に便利を与え、従来の除去方法と比べ、本装置は効率よく、労働者の両手を解放し、労力と資源の浪費を減少し、また、本装置は人の身長によって自動的に長さを調節でき、底部の輪と合わせて、より便利に移動でき、装置全体の利便性を向上させる。
【００２６】
以上に述べたのは本発明の例示的実施例であり、本発明を限定するものではなく、本願発明の趣旨を逸脱しない範囲で行われたいかなる変更と、等価置換と改善などは本発明の保護範囲に含まれるべきである。
【要約】
【課題】本願は近代都市用の街道表面のガンコな汚れに対する自動掃除システムを開示した。
【解決手段】
本願は近代都市用の街道表面のガンコな汚れに対する自動掃除システムを開示し、主体を含み、前記主体の中には動力空間が設置され、前記動力空間の底側には出風空間が設置され、前記出風空間の左側壁には入気口が設置され、前記出風空間と前記動力空間との間にはガムを軟化させることができるファン装置が設置され、本装置は路上のガムを自動的除去でき、同時に加熱機能を有するため、除去に便利を与え、従来の除去方法と比べ、本装置は効率よく、労働者の両手を解放し、労力と資源の浪費を減少し、また、本装置は人の身長によって自動的に長さを調節でき、底部の輪と合わせて、より便利に移動でき、装置全体の利便性を向上させる。
【選択図】図１【図１】
0006764062.tif 000002
【図２】
0006764062.tif 000003
【図３】
0006764062.tif 000004